(57)【要約】      （修正有）【課題】携帯端末に表示中のＷＥＢページと並列的に提示されているＷＥＢページを一括して閲覧できるようにする。【解決手段】並列表示指示を行うと、端末画面に表示中のＷＥＢページのソースコードが解析され、表示中のＷＥＢページと並列的に提示されている各ＷＥＢページが特定される。特定された各ＷＥＢページのデータをＷＥＢサーバから取得して、それぞれ画像化する。表示中のＷＥＢページの画像と、特定された各ＷＥＢページの画像とを横方向に連結した並列画像を生成する。並列画像が電子ペーパ装置１２に送られて表示され、端末画面上と同じ縮尺で表示されるが、表示範囲が電子ペーパ装置１２の表示画面１２ａに応じたサイズで表示される。【選択図】図６
2014044535.tif 000002
【特許請求の範囲】
【請求項１】
ＷＥＢページを表示する端末画面と、
端末画面に表示中のＷＥＢページのソースコードに基づいて、表示中のＷＥＢページ上で、この表示中のＷＥＢページと並列的に、または相互に並列的に提示されているＷＥＢぺージを特定する特定部と、
特定された各ＷＥＢページを表示するために必要なＷＥＢデータをＷＥＢサーバから取得する取得部と、
取得したＷＥＢデータに基づいて、端末画面上と同じレイアウト及び縮尺を維持し、かつ表示範囲が表示媒体の表示面に応じたサイズの各ＷＥＢページを並べた並列画像を生成する画像生成部と、
並列画像を表示媒体に表示するために出力する出力部と、
を備える携帯端末装置。
【請求項２】
前記画像生成部は、前記端末画面に表示中のＷＥＢページと前記特定部で特定された各ＷＥＢぺージとを並べた並列画像を作成することを特徴とする請求項１記載の携帯端末装置。
【請求項３】
ＷＥＢページを並列的に提示する複数のグループのうちから、操作履歴に応じて、１つのグループを選択し、選択したグループについての並列画像を生成させる制御部を備えることを特徴とする請求項１または２記載の携帯端末装置。
【請求項４】
前記出力部は、前記表示媒体に近接した状態で、並列画像を非接触な通信によって前記表示媒体に送信することを特徴とする請求項１ないし３のいずれか１項に記載の携帯端末装置。
【請求項５】
前記表示媒体は、電子ペーパ装置であり、
前記出力部は、並列画像を前記電子ペーパ装置に送信することを特徴とする請求項１ないし４のいずれか１項に記載の携帯端末装置。
【請求項６】
携帯端末の端末画面に表示中のＷＥＢページのソースコードに基づいて、表示中のＷＥＢページ上で、この表示中のＷＥＢページと並列的に、または相互に並列的に提示されているＷＥＢぺージを特定する特定ステップと、
特定された各ＷＥＢページを表示するために必要なＷＥＢデータをＷＥＢサーバから取得する取得ステップと、
取得したＷＥＢデータに基づいて、端末画面上と同じレイアウト及び縮尺を維持し、かつ表示範囲が表示媒体の表示面に応じたサイズの各ＷＥＢページを並べた並列画像を生成する画像生成ステップと、
並列画像を表示媒体に表示するために出力する出力部ステップと、
を有するＷＥＢページの表示方法。
【発明の詳細な説明】
【技術分野】
【０００１】
本発明は、携帯端末装置及びＷＥＢページの表示方法に関するものである。
【背景技術】
【０００２】
ＷＥＢページの参照やそれに対する入力などのＷＥＢブラウジングがＰＣ（パーソナルコンピュータ）や、携帯電話などの携帯端末装置上で行うことができる。近年ではスマートフォンと呼ばれる多機能な携帯端末装置が普及しており、従来の携帯電話くに比べて大型の表示画面を採用することで、ＷＥＢページをはじめとする各種情報の見やすさを向上させている。
【０００３】
一方、ユーザが携帯電話等の携帯端末装置を通してコンテンツサーバからコンテンツを選択して取得し、そのコンテンツを携帯端末装置から電子ペーパ装置に書き込んで表示させる表示システムが特許文献１によって知られている。この表示システムでは、各コンテンツの電子ペーパ装置に書き込んだ回数に応じた順序で、携帯端末装置の画面にコンテンツのサムネイルを表示している。これにより、携帯端末装置での小さい表示画面であっても容易にコンテンツを選択できるようにしている。
【０００４】
また、ＷＥＢページから電子ブックを生成する情報処理装置が特許文献２によって知られている。この情報処理装置では、指定されたＷＥＢページを解析して、そのＷＥＢページにリンクした各ＷＥＢページの内容を有する電子ブックを生成する。情報処理装置は、指定されたＷＥＢページにリンクした各ＷＥＢページの内容を順次に取得し、例えば２ページ分のＷＥＢページの内容を所定のレイアウト情報にしたがって電子ブックの１ページ内にレイアウトしながら、電子ブックの各ページを生成する。
【先行技術文献】
【特許文献】
【０００５】
【特許文献１】特開２００９−１７６１９６号公報
【特許文献２】特開２００９−１９９５１２号公報
【発明の概要】
【発明が解決しようとする課題】
【０００６】
ところで、上記のように従来の携帯電話くに比べて大型の表示画面を採用したスマートフォン等の携帯端末装置であって、各種のＷＥＢページを閲覧する上で表示画面が十分なものとはいえなかった。例えば、スマートフォン向けに操作性や閲覧性を向上させたＷＥＢページを提供するＷＥＢサイトなどもあるが、複数のＷＥＢページを同時に表示させることができないため、複数のＷＥＢページを一括して表示させて、情報を一括して参照したり、各情報を比較したりするには不向きであり、操作が煩雑になり、また閲覧性が悪いという問題があった。特許文献１のように、電子ペーパ装置に表示しようとするコンテンツの候補を書き込んだ回数等の順序で表示して選択させるようにしても情報を一括して参照できないので同様な問題は生じる。
【０００７】
また、特許文献２のように、複数のＷＥＢページ内容をレイアウトし直した電子ブックを例えば電子ペーパ装置上で参照するようにした場合には、１ページ内で複数のＷＥＢページの内容を見ることができる。しかしながら、スマートフォン等の携帯端末装置で表示していたＷＥＢページのレイアウトとの間の差異が大きく、携帯端末装置で参照していた情報との対応関係がわかりずらくなるといった問題がある。
【０００８】
本発明は、上記課題を鑑みてなされたものであって、操作性や閲覧性を悪くすることなく電子ペーパ装置等の表示媒体にＷＥＢページを表示させることができる携帯端末装置及びＷＥＢページの表示方法を提供することを目的とする。
【課題を解決するための手段】
【０００９】
上記課題を達成するために本発明の携帯端末装置は、ＷＥＢページを表示する端末画面と、端末画面に表示中のＷＥＢページのソースコードに基づいて、表示中のＷＥＢページ上で、この表示中のＷＥＢページと並列的に、または相互に並列的に提示されているＷＥＢぺージを特定する特定部と、特定された各ＷＥＢページを表示するために必要なＷＥＢデータをＷＥＢサーバから取得する取得部と、取得したＷＥＢデータに基づいて、端末画面上と同じ縮尺かつ表示範囲が表示媒体の表示面に応じたサイズの各ＷＥＢページを並べた並列画像を生成する画像生成部と、並列画像を表示媒体に表示するために出力する出力部と、を備えるものである。
【００１０】
画像生成部は、端末画面に表示中のＷＥＢページと特定部で特定された各ＷＥＢぺージとを並べた並列画像を作成することが好ましい。
【００１１】
また、ＷＥＢページを並列的に提示する複数のグループのうちから、操作履歴に応じて、１つのグループを選択し、選択したグループについての並列画像を生成させる制御部を備えることが好ましい。
【００１２】
また、出力部は、表示媒体に近接した状態で、並列画像を非接触な通信によって表示媒体に送信することが好ましい。
【００１３】
また、表示媒体は、電子ペーパ装置であり、出力部は、並列画像を電子ペーパ装置に送信することが好ましい。
【００１４】
また、本発明のＷＥＢページの表示方法では、携帯端末の端末画面に表示中のＷＥＢページのソースコードに基づいて、表示中のＷＥＢページ上で、この表示中のＷＥＢページと並列的に、または相互に並列的に提示されているＷＥＢぺージを特定する特定ステップと、特定された各ＷＥＢページを表示するために必要なＷＥＢデータをＷＥＢサーバから取得する取得ステップと、取得したＷＥＢデータに基づいて、端末画面上と同じレイアウト及び縮尺を維持し、かつ表示範囲が表示媒体の表示面に応じたサイズの各ＷＥＢページを並べた並列画像を生成する画像生成ステップと、並列画像を表示媒体に表示するために出力する出力部ステップと、を有するものである。
【発明の効果】
【００１５】
本発明によれば、表示中のＷＥＢページに、この表示中のＷＥＢページとまたは相互に並列的に提示されている各ＷＥＢぺージを端末画面上と同じレイアウト及び縮尺を維持し、かつ表示範囲が表示媒体の表示面に応じたサイズで並べた並列画像を生成して出力するから、電子ペーパ装置等の表示媒体に表示される並列画像により、関係する複数のＷＥＢページを一括して見ることができるとともに、端末画面上の表示との違和感がなく、必要とする情報をすぐに見つけることができる。
【図面の簡単な説明】
【００１６】
【図１】本発明を実施した表示システムの構成を示す概略図である。
【図２】電子ペーパ装置の構成を示すブロック図である。
【図３】携帯端末の構成を示すブロック図である。
【図４】携帯端末に表示されたＷＥＢページの一例を示す説明図である。
【図５】図４に示すＷＥＢページのソースコード要部の一例を示す説明図である。
【図６】図４に示すＷＥＢページから生成された並列画像の例を示す説明図である。
【図７】携帯端末に表示された別のＷＥＢページの例を示す説明図である。
【図８】図７に示すＷＥＢページから生成された並列画像の例を示す説明図である。
【図９】並列的に提示されるグループが２つあるＷＥＢページの例を示す説明図である。
【図１０】操作履歴に基づいて第１グループの並列ＷＥＢページから生成された並列画像の例を示す説明図である。
【図１１】操作履歴に基づいて第２グループの並列ＷＥＢページから生成された並列画像の例を示す説明図である。
【発明を実施するための形態】
【００１７】
本発明を実施したＷＥＢ展開表示システム１０は、電子ペーパ装置１２，ＷＥＢサーバ１３，携帯端末１４などで構成される。このＷＥＢ展開表示システム１０は、携帯端末１４で表示中のＷＥＢページと並列的に提示されている各ＷＥＢぺージ（以下、並列ＷＥＢページという）を並べた画像（以下、並列画像という）を電子ペーパ装置１２に表示することにより、それらのＷＥＢページの情報を一括して見ることができるようにするものである。
【００１８】
なお、この例では、並列ＷＥＢページとともに携帯端末１４で表示中のＷＥＢページの各画像を並べた並列画像を生成するが、並列画像に表示中のＷＥＢページの画像を含めないでもよい。
【００１９】
ＷＥＢサーバ１３と携帯端末１４とは、それぞれネットワーク１５に接続可能であり、このネットワーク１５を介して相互に通信を行うことができる。ネットワーク１５は、携帯端末１４とＷＥＢサーバ１３とを接続するものであれば、どのようなものであってもよく、インターネット、専用線、携帯電話回線、公衆無線ＬＡＮなどや、それらが混在するものでもよい。また、電子ペーパ装置１２と携帯端末１４とは、例えばＮＦＣ（近距離無線通信）規格に準拠した通信により相互にデータの授受が可能になっている。
【００２０】
ＷＥＢサーバ１３は、ＷＥＢページを表示するためのＷＥＢデータを記憶しており、そのＷＥＢデータをネットワーク１５を介して提供している。ＷＥＢデータは、周知のＨＴＭＬファイルや、ＨＴＭＬファイルによって記述される文章に埋め込まれる画像等のコンテンツからなる。なお、ＨＴＭＬファイルに代えて、他のマークアップ言語で記述されたファイルを用いてもよい。さらに、画像等は他のサーバによって提供されていてもよい。図１では、１台のＷＥＢサーバ１３を描いてあるがＷＥＢサーバは複数台であってもよい。
【００２１】
電子ペーパ装置１２は、周知のように、外部からの入力される画像を表示画面１２ａに表示し、画像の表示後には電力供給なしに表示画像を維持するものである。電子ペーパ装置１２としては、その表示画面１２ａが携帯端末１４の表示画面（以下、端末画面という）１４ａよりも大きなもの、例えばＡ４サイズ程度のものを用いている。
【００２２】
なお、表示媒体として電子ペーパ装置１２を用いているが、表示媒体としては、これに限られない。例えば、携帯端末１４よりも大きなタブレット端末やノート型やデスクトップ型のＰＣの表示画面を表示媒体とすることもできる。この場合には、携帯端末１４からタブレット端末などに並列画像を送信して、表示画面に表示させる。また、記録紙などを表示媒体とすることもできる。この場合には、携帯端末１４からプリンタやプリント機能を有する複合機などに並列画像を送信して、記録紙に並列画像を記録する。
【００２３】
表示画面１２ａ，端末画面４ａにおける画像の向きは、任意にあるいは電子ペーパ装置１２，携帯端末１４の姿勢に応じて自動的に変えることができる。なお、以下では、説明を簡単にするために、携帯端末１４の端末画面１４ａでは、それを縦長にした姿勢で、また電子ペーパ装置１２の表示画面１２ａでは、それを横長にした姿勢で表示される画像を正しく見ることができるように表示されるものとして説明する。
【００２４】
図２に示すように、電子ペーパ装置１２は、通信部２１，書込部２２，及び表示画面１２ａを有している。通信部２１は、アンテナやコントローラチップなどで構成されており、リーダライター（この例では、携帯端末１４側）からデータ通信の際の搬送波の電磁誘導により電力供給がなされ、その電力で通信部２１含む電子ペーパ装置１２の各部が作動する。
【００２５】
電子ペーパ装置１２は、上記通信部２１により携帯端末１４から表示すべき並列表示画像を受信する。通信部２１には、表示画面１２ａのサイズを記憶したメモリ２１ａを有しており、これを携帯端末１４に送る。表示画面１２ａのサイズは、携帯端末１４が電子ペーパ装置１２に表示すべき並列画像を生成する際に参照される。書込部２２は、表示画面１２ａｂの表示方式に応じた信号を発生させて受信した画像を表示画面１２ａに表示させる
【００２６】
携帯端末１４としては、小型、例えば４型前後の端末画面１４ａを搭載したスマートフォンが用いられている。端末画面１４ａは、タッチパネルが設けられたタッチパネルディスプレイとなっており、これに対する操作で携帯端末１４に各種の操作を行うことができる。なお、携帯端末１４としては、例えばパーソナル情報端末（ＰＤＡ）であってもよい。
【００２７】
図３に示すように、携帯端末１４は、制御部３０，第１通信部３１，第２通信部３２，操作部３３，表示部３４，特定部３５，画像生成部３６等を有する。制御部３０は、操作部３３の操作に応答して、携帯端末１４の各部を統括的に制御し、入力された操作に対応する処理を実行する。
【００２８】
第１通信部３１は、ネットワーク１５を介してＷＥＢサーバ１３との通信を行う。この第１通信部３１は、ＷＥＢページを指定するＵＲＬやＷＥＢページに埋め込まれる画像のＵＲＬなどをＷＥＢサーバ１３に送信し、それに応答してＷＥＢサーバ１３から送信されるＷＥＢデータを受信する。第１通信部３１は、ＷＥＢデータをＷＥＢサーバ１３から取得する取得部となっている。
【００２９】
第２通信部３２は、電子ペーパ装置１２の通信部２１に対するリーダライターとして機能するものであり、通信部２１に対して電力供給を行うとともに、並列表示画像のデータを送信、表示画面１２ａのサイズの受信等を行う。この第２通信部３２は、表示媒体に表示するために出力する出力部となっている。
【００３０】
操作部３３は、電源ボタンや上記のように端末画面１４ａに設けたタッチパネルなどで構成されている。この操作部３３の操作により、参照すべきＷＥＢページの指定やリンク先の選択、並列画像を電子ペーパ装置１２に表示するための処理の並列表示指示などを行うことができる。
【００３１】
特定部３５，画像生成部３６には、第１通信部３１で取得したＷＥＢデータが制御部３０を介して入力される。特定部３５は、並列表示指示がなされた際に、その時点で端末画面１４ａに表示されているＷＥＢページのソースコードを解析することにより、その表示中のＷＥＢページ上でリンク先として表示されているものうち並列ＷＥＢページを特定する。この特定部３５は、特定した並列ＷＥＢページのＵＲＬをソースコードから取得する。並列ＷＥＢページのＵＲＬを、制御部３０，第１通信部３１を介してＷＥＢサーバ１３に送信することによって、その並列ＷＥＢページのＷＥＢデータを取得する。
【００３２】
特定部３５による並列ＷＥＢページとして特定する手法は、ソースコードの記述に対応して種々の条件を用いて特定することができる。次の特定条件は１つを例示したものである。
【００３３】
特定条件：下記条件１，２を満たすものを並列ＷＥＢページとする。
条件１：並列ＷＥＢページは、表示中のＷＥＢページ上にリンクとして提示されるものであり、ソースコード中のリスト表示ブロック（<UL>〜</UL>または<OL>〜</OL>）内に記述されたリスト項目（<LI>〜</LI>）にリンク先としてＵＲＬで指定され、そのＵＲＬがＨＴＭＬファイルや画像ファイルなどＷＥＢページとして表示が行われるオブジェクトを指定しているもの。
条件２：上記ＷＥＢページとして表示が行われるオブジェクトの格納先が、表示中のＷＥＢページのＨＴＭＬファイルの格納先と同じであるもの。
【００３４】
なお、並列ＷＥＢページの特定条件は、上記のものに限られるものではない。例えば、スタイルシートを使用してＷＥＢページの表示形式を指定している場合には、このスタイルシートの内容を加味して並列ＷＥＢページを特定してもよい。また、上記条件１と下記条件３とを用いることにより、表示中のＷＥＢページ上で、相互に並列的に提示されているＷＥＢぺージを特定するようにしてもよい。
条件３：同一のリスト表示ブロック内の他のリスト項目に、上記条件１を満た他のＷＥＢページ（表示中のＷＥＢページ以外）がリンク先としてＵＲＬで指定されているもの。
【００３５】
画像生成部３６は、ＷＥＢページを画像化するものであり、レンダリング部３７と並列化処理部３８とを有する。レンダリング部３７は、ＷＥＢデータを用いてレンダリングを行ってＷＥＢぺージごとの画像を生成する。レンダリングでは、ＨＴＭＬファイルに記述されるソースコードを解釈して、ＨＴＭＬファイル中の文章や埋め込まれる画像等をレイアウトしたり、文字や背景等に色づけなどを行う。このレンダリングは、ＷＥＢブラザがＷＥＢページの表示を行う際に行うレンダリングと同じでよい。
【００３６】
通常では、端末画面１４ａに表示すべきＷＥＢページを画像化し、表示部３４に送る。並列表示指示がなされたときには、特定部３５によって特定されたリンク先の各ＷＥＢページについてそれぞれ画像化し、これら画像と端末画面１４ａに表示中のＷＥＢページの画像とを並列化処理部３８に送る。並列表示指示がなされた場合のレンダリングは、通常の場合と同じに行われる、これにより、並列画像における各ＷＥＢページの画像のレイアウトが、端末画面１４ａに表示されるものと同じにしている。
【００３７】
並列化処理部３８は、複数のＷＥＢページの画像を電子ペーパ装置１２に表示するために１つの並列画像に変換する。この例における並列画像は、携帯端末１４で表示中のＷＥＢページと各並列ＷＥＢページの各画像とを横方向に並べて１つの画像としたものである。並列画像中の各画像は、端末画面１４ａ上と同じ縮尺であり、かつ表示範囲（長さ）が表示画面１２ａに応じたサイズにされる。すなわち、並列画像中の各画像のそれぞれの幅（横方向の長さ）は、端末画面１４ａ上でのＷＥＢページの幅と同じになっている。一方、並列画像中の各画像のそれぞれの長さ（縦方向の長さ）は、表示画面１２ａの縦方向の長さにあわせてある。したがって、表示画面１２ａの長さが端末画面１４ａの長さよりも大きければ、各画像は、端末画面１４ａ上でスクロールなしに見ることができる範囲より広い。
【００３８】
表示部３４は、端末画面１４ａやこれを駆動するドライバから構成されており、レンダリング部３７からの画像が入力されることにより、これを端末画面１４ａに表示する。
【００３９】
次に上記構成の作用について説明する。操作者は、操作部３３を操作して、例えばＵＲＬを入力したり、端末画面１４ａに表示中のＷＥＢページ上のリンクを選択するなどして、所望とするＷＥＢページを端末画面１４ａに表示させる。以下、携帯端末１４の端末画面１４ａに、一例として図４に示されるＷＥＢページ４１が表示されるものとして説明をする。
【００４０】
なお、ＷＥＢページ４１は、「デジタルカメラ○○シリーズ」のカメラ「ＡＡ」を紹介しており、タブ４１ａに「ＡＡ」が表示されている。また、「ＡＡ」のタブ４１ａに並んでカメラ「ＢＢ」，「ＣＣ」，「ＤＤ」のタブ４１ａが表示されている。これらタブ４１ａの文字には、対応するカメラをそれぞれ紹介するＷＥＢページへのリンクが設定されている。これにより、タブ４１ａの「ＢＢ」，「ＣＣ」，「ＤＤ」のいずれかの文字を選択（タッチ）することにより、カメラ「ＢＢ」，「ＣＣ」あるいは「ＤＤ」を紹介するＷＥＢページが表示される。したがって、表示中のカメラ「ＡＡ」を紹介するＷＥＢページ４１には、カメラ「ＢＢ」，「ＣＣ」，「ＤＤ」を紹介する各ＷＥＢページが表示中のＷＥＢページ４１と並列的に提示されている。また、カメラ「ＢＢ」，「ＣＣ」，「ＤＤ」を紹介する各ＷＥＢページは、相互に並列的に提示されたＷＥＢページである。
【００４１】
なお、カメラ「ＢＢ」，「ＣＣ」，「ＤＤ」を紹介する各ＷＥＢページを表示しているときにも、同様なタブの表示がなされる。そして、表示中のＷＥＢページ以外のタブ内の文字を選択することで、その選択された文字に設定された先のＷＥＢページが表示される。
【００４２】
ＷＥＢページ４１のＨＴＭＬファイルに記述されたソースコードは、例えば、図５に示すようになっており、「ＡＡ」〜「ＤＤ」の各タブ４１ａは、<UL>〜</UL>で囲まれたリスト表示ブロックに記述に基づくものである。
【００４３】
上記のように、表示中のＷＥＢページ４１に並列ＷＥＢページが提示されており、操作者がこれらＷＥＢページを電子ペーパ装置１２で並列表示させたい場合には、操作部３３の操作で並列表示指示を行う。この並列表示指示に応答し、制御部３０は、表示部３４を制御して端末画面１４ａに、例えば「携帯端末を電子ペーパに近づけてください」などの案内を表示する。この案内にしたがって操作者は、携帯端末１４を電子ペーパ装置１２に近接させる。なお、携帯端末１４を電子ペーパ装置１２に近接したことを検知し、これが並列表示指示となるようにしてもよい。
【００４４】
並列表示指示後には第２通信部３２から搬送波が出力されており、両者を近接させると、その搬送波によって電子ペーパ装置１２の通信部２１に電力供給が行われる。これにより、電子ペーパ装置１２が作動する。この後にメモリ２１ａから読み出された表示画面１２ａのサイズが通信部２１から第２通信部３２に送られる。これにより、制御部３０が表示画面１２ａのサイズを取得する。取得した表示画面１２ａのサイズと端末画面１４ａのサイズとに基づいて、表示画面１２ａにＷＥＢページを並べて表示することができる表示可能ページ数（この例では４ページ）が制御部３０により算出される。なお、表示画面１２ａのサイズの取得後には、携帯端末１４を電子ペーパ装置１２から離してよい。なお、あらかじめ、電子ペーパ装置１２の表示画面１２ａのサイズを携帯端末１４に設定しておいてもよい。
【００４５】
表示可能ページ数の算出後に、画像生成部３６が作動されて、レンダリング部３７によって、表示中のＷＥＢページ４１のＨＴＭＬファイルに基づいたレンダリングが再度行われ、これにより得られるＷＥＢページ４１の画像が並列化処理部３８に送られる。このＷＥＢページ４１の画像は、並列化処理部３８の図示しないメモリに保持される。
【００４６】
一方、特定部３５により、表示中のＷＥＢページ４１のＨＴＭＬファイルに記述されたソースコードが解析される。そして、表示中のＷＥＢページ４１上に、ＷＥＢページ４１と並列的に提示されているＷＥＢぺージ、すなわち並列ＷＥＢページの特定が行われる。
【００４７】
表示中のＷＥＢページ４１は、例えば上記に例示した特定条件によって、並列ＷＥＢページを特定することができる。すなわち、図５に示されるソースコードには、「<UL>〜</UL>」で囲まれたリスト表示ブロックが記述されている。このリスト表示ブロック内には、「<a href="aaa.bbb.cc/camera/・・・>（文字）</a>」（文字は「ＡＡ」〜「ＤＤ」）が記述されたリスト項目（<LI>〜</LI>）があり、ＷＥＢページ４１に表示（提示）される文字「ＡＡ」〜「ＤＤ」に対してリンクが設定されていることを判別することができる。また、文字「ＡＡ」〜「ＤＤ」に設定されているリンク先は、ＵＲＬで指定されたＨＴＭＬファイル「aa.html」，「bb.html」，「cc.html」，「dd.html」であり、それぞれＷＥＢページとして表示が行われるオブジェクトと判定される（条件１）。
【００４８】
ところで、表示中のＷＥＢページのＵＲＬから、「aa.html」は表示中のＷＥＢページ４１のものであることを判別でき、またカレントディレクトリを取得できる。この例では、カレントディレクトリは「aaa.bbb.cc/camera」である。
【００４９】
リンク先のＵＲＬは、「href=」以下に記述されているから、「bb.html」，「cc.html」，「dd.html」の格納ディレクトリは「aaa.bbb.cc/camera」であることがわかる。したがって、カレントディレクトリと「bb.html」，「cc.html」，「dd.html」の格納ディレクトリは同じと判別される（条件２）。なお、ＵＲＬが相対パスで記述されている場合でも、ＨＴＭＬの記述のルールにしたがってディレクトリを知ることができる。
【００５０】
したがって、「bb.html」，「cc.html」，「dd.html」を指定するＵＲＬで示されるＷＥＢページは、いずれも例示された特定条件（条件１，２）を満たすものと判定される。結果、ＵＲＬ「http://aaa.bbb.cc/camera/bb.html」、「http://aaa.bbb.cc/camera/cc.html」、「http://aaa.bbb.cc/camera/dd.html」で指定されるＷＥＢページがそれぞれ並列ＷＥＢページとして特定される。なお、「<li class="on">AA</li>」などと記述されて文字「ＡＡ」にリンクが設定されていない場合にも同様に判定して、並列ＷＥＢページを特定することができる。
【００５１】
なお、この例において上記のように特定される「bb.html」，「cc.html」，「dd.html」を指定するＵＲＬで示される各ＷＥＢページのそれぞれは、上記の条件３をも満たすので、それら相互が並列的に提示されているとして特定することもできる。
【００５２】
例えば上記のように並列ＷＥＢページがあると判定された場合には、その並列ＷＥＢページを指定する各ＵＲＬが制御部３０に送られる。制御部３０は、特定部３５からの各ＵＲＬを第１通信部３１を介して順次にＷＥＢサーバ１３に送る。このときに、制御部３０は、ソースコード中の記述順で、先に求めた表示可能ページ数よりも「１」少ないＵＲＬを送る。これは、表示画面１２ａに表示中のＷＥＢページとともに並列ＷＥＢの画像を表示するからである。そして、ＷＥＢサーバ１３からＵＲＬで指定される各ＷＥＢページのＷＥＢデータを取得する。
【００５３】
並列ＷＥＢページのＷＥＢデータを受信するごとに、そのＷＥＢデータがレンダリング部３７に送られる。これにより、各並列ＷＥＢページのレンダリングが行われ、生成される画像は順次に並列化処理部３８にそれぞれ送られる。なお、実際にはＵＲＬで指定されるＨＴＭＬファイルを取得し、レンダリング中にＨＴＭＬファイル中で指定された画像などを取得している。
【００５４】
上記のように並列ＷＥＢページの画像が入力されると、並列化処理部３８が、メモリに保持している表示中のＷＥＢページ４１の画像の側方に、入力される並列ＷＥＢページの各画像を入力された順番で横方向に順次に連結することによって１枚の並列画像を作成される。この後、制御部３０の制御により、表示画面１２ａの縦方向の長さ（この例では短辺の長さ）となるように並列画像にトリミングを行う。これにより、並列画像が完成する。
【００５５】
並列化処理部３８による並列画像の完成後、制御部３０は、例えば端末画面１４ａに「準備が完了しました。電子ペーパに近づけてください」などの案内を表示する。操作者は、この案内にしたがって再び携帯端末１４を電子ペーパ装置１２に近づける。この操作で電子ペーパ装置１２に携帯端末１４が近接すると、上記同様にして電子ペーパ装置１２に対して電力供給が行われ、電子ペーパ装置１２が作動する。
【００５６】
第２通信部３２から通信部２１に対して並列画像が送信される。通信部で受信された並列画像は、書込部２２に送られ表示画面１２ａに表示される。これにより、表示画面１２ａには、端末画面１４ａに表示されているＷＥＢページとそれに並列的に提示された各ＷＥＢページが表示され、操作者が各ＷＥＢページを一括して見ることができる。
【００５７】
上記のように端末画面１４ａにＷＥＢページ４１を表示させていた場合では、図６に示すように、電子ペーパ装置１２の表示画面１２ａには、端末画面１４ａに表示中のカメラ「ＡＡ」を紹介するＷＥＢページ４１の画像５１と、ＷＥＢ４１に並列的に提示されたカメラ「ＢＢ」〜「ＤＤ」を紹介する各ＷＥＢページの画像５２ａ〜５２ｃとが並んで表示される。各画像５１，５２ａ〜５２ｃのそれぞれは、端末画面１４ａに表示される幅と同じであり、端末画面１４ａよりも表示画面１２ａの縦方向の長さが長い。したがって、端末画面１４ａに表示される範囲よりも広い範囲が表示されている。操作者が表示画面１２ａの並列画像を見るときに、端末画面１４ａ上での縮尺と同じであり、しかも端末画面１４ａ上でレイアウトを維持しているので違和感がなく、必要とする情報をすぐに見つけることができる。
【００５８】
図４に示されるＷＥＢページ４１は、タブ４１ａ内の文字に並列ＷＥＢページに対するリンクが設定されているが、並列ＷＥＢページの提示手法は、それに限定されるものではなく、ＷＥＢページの本文中に配置されている文字や、ボタン、画像などにリンクが設定されているものでもよい。
【００５９】
例えば、図７に示す例では、ＷＥＢページ６１の本文中に配置されている「会社概要」，「募集職種（事務系）」，「募集職種（技術系）」，「応募方法」などの文字６１ａ〜６１ｄ、「ＭＡＰ」と表示書かれたボタン（画像）６１ｅにそれぞれ並列ＷＥＢのリンクが設定されている。このＷＥＢページ６１を端末画面１４ａに表示した状態で、電子ペーパ装置１２に並列画像を表示させる操作を行った場合には、図８に示すように、表示中のＷＥＢページ６１に対応する画像６２と、「会社概要」，「ＭＡＰ」ボタン（画像）６１ｅにリンクされた地図、「募集職種（事務系）」の各ＷＥＢページの画像６３ａ〜６３ｃを並べた並列画像６４が表示画面１２ａに表示される。なお、この例では、表示可能ページ数が「４」であるため、５ページ目となる，「募集職種（技術系）」，６ページ目となる「応募方法」の各ＷＥＢページの画像は表示されない。
【００６０】
図９ないし図１１は、ＷＥＢページを並列的に提示するグループが表示中のＷＥＢページ上に２グループあり、操作履歴に応じて、そのうちの１つのグループを選択して並列画像を生成する例を示すものである。
【００６１】
図９に示すＷＥＢページ７１は、「デジタルカメラ○○シリーズ」のカメラ「ＡＡ」を紹介するトップページであり、それのタブ７１ａに「ＡＡ」が表示されている。この「ＡＡ」のタブ７１ａに並んで、カメラ「ＢＢ」，「ＣＣ」，「ＤＤ」のタブ７１ａが表示されている。タブ７１ａ内の文字「ＢＢ」，「ＣＣ」，「ＤＤ」には、対応するカメラをそれぞれ紹介するＷＥＢページのうちのトップページへのリンクが設定されている。したがって、これらにより、トップページとしてのＷＥＢページを並列的に提示する第１グループが構成されている。
【００６２】
また、ＷＥＢページ７１、すなわちカメラ「ＡＡ」を紹介するトップページには、例えばそのカメラの特徴などが表示される他に、「仕様」，「オプション」，「サポート」の項目文字が表示されるようになっている。それぞれの項目文字には、カメラ「ＡＡ」ついてのそれに示される内容を記載したＷＥＢページへのリンクが設定されている。したがって、これらにより、カメラ「ＡＡ」に関する内容のＷＥＢページを並列的に提示する第２グループが構成されている。
【００６３】
なお、カメラ「ＡＡ」の「仕様」，「オプション」，「サポート」の各ＷＥＢページについても、トップページと同様に「ＡＡ」〜「ＤＤ」のタブ７１ａが表示されるとともに、「仕様」，「オプション」，「サポート」の項目文字が表示され、それぞれ同様にリンクが設定されている。なお、カメラ「ＡＡ」の「仕様」，「オプション」，「サポート」のＷＥＢページでタブ７１ａ内の文字「ＡＡ」には、カメラ「ＡＡ」のトップページへのリンクが設定されている。
【００６４】
また、カメラ「ＢＢ」〜「ＤＤ」を紹介する他のトップページについても、カメラ「ＡＡ」のトップページと同様である。例えばカメラ「ＢＢ」のトップページでは、「ＡＡ」〜「ＤＤ」の各タブが並んで表示されてる。それらタブ内の文字「ＡＡ」，「ＣＣ」，「ＤＤ」には、対応するカメラをそれぞれ紹介するＷＥＢページのうちのトップページへのリンクが設定されており、トップページとしてのＷＥＢページを並列的に提示する第１グループが構成されている。また、カメラ「ＢＢ」を紹介するトップページには、「仕様」，「オプション」，「サポート」の項目文字が表示され、それぞれの項目文字にカメラ「ＢＢ」ついてのそれに示される内容を記載したＷＥＢページへのリンクが設定されている。したがって、これらにより、カメラ「ＢＢ」に関する内容のＷＥＢページを並列的に提示する第２グループが構成されている。
【００６５】
この例では、並列表示指示を行った場合に、表示中のＷＥＢページに戻るための操作の１つ前の操作に応じて、第１グループの並列ＷＥＢページを含む並列画像を生成するか、第２グループの並列ＷＥＢページを含む並列画像を生成するかが制御部３０によって決定される。
【００６６】
例えばカメラ「ＢＢ」を紹介するトップページを端末画面１４ａに表示させた状態にし、項目文字である「仕様」を選択して、カメラＢＢの「仕様」について記載されたＷＥＢページを表示させ、そのＷＥＢページ上でタブ７１ａ内の文字「ＢＢ」を選択してトップページを表示させた状態にした場合では、カメラＢＢのトップページに戻る１つ前の操作がカメラＢＢについての第２グループのＷＥＢページを表示させる操作を行っている。
【００６７】
このため、この表示状態で並列表示指示を行ったときには、図１０に示すように、カメラＢＢについての、トップページ及び第２グループの並列ＷＥＢページの各画像７３，７４ａ〜７４ｃからなる並列画像が生成され、これが電子ペーパ装置１２の表示画面１２ａに表示される。これは、カメラＢＢのトップページに戻る１つ前の操作がカメラＢＢについての第２グループのＷＥＢページを表示させる操作となっているので、操作者がカメラＢＢについての詳細が記された第２グループの各ＷＥＢページの表示を要求している推測できるからである。
【００６８】
一方、タブ７１ａ内の文字を選択することで、カメラ「ＢＢ」のトップページ、カメラ「ＣＣ」のトップページ、カメラ「ＡＡ」のトップページを順次に表示させた後、並列表示指示を行った場合には、表示中のカメラ「ＡＡ」のトップページに戻る１つ前の操作が文字「ＣＣ」を選択してカメラ「ＣＣ」のトップページを表示させる操作、すなわち第１グループのＷＥＢページを表示させる操作を行っている。したがって、この場合には、、図１１に示すように、各トップページからなる第１グループの並列ＷＥＢページの画像７ａ〜７５ｄからなる並列画像が生成され、これが電子ペーパ装置１２の表示画面１２ａに表示される。これは、カメラＡＡのトップページに戻る１つ前の操作が第１グループのＷＥＢページを表示させる操作となっているので、操作者が第１グループの各ＷＥＢページの表示を要求している推測できるからである。
【符号の説明】
【００６９】
１２  電子ペーパ装置
１２ａ  表示画面
１３  ＷＥＢサーバ
１４  携帯端末
１４ａ  端末画面
２１，３１，３２  通信部
３５  特定部
３６  画像生成部
【図１】
2014044535.tif 000003
【図２】
2014044535.tif 000004
【図３】
2014044535.tif 000005
【図４】
2014044535.tif 000006
【図５】
2014044535.tif 000007
【図６】
2014044535.tif 000008
【図７】
2014044535.tif 000009
【図８】
2014044535.tif 000010
【図９】
2014044535.tif 000011
【図１０】
2014044535.tif 000012
【図１１】
2014044535.tif 000013